(57)【要約】      （修正有）【課題】交換特性を有する２つの部品、有利には眼鏡つると眼鏡フロント部材との形状接続的な結合を達成する。【解決手段】差込み部材３とカップリングとから成る継手及び交換システムにおいて、差込み部材が角錐形であり、差込み部材が細長い間隙を有しており、差込み部材が前方端部に係止及び係止解除用の切欠き７を有しており、該切欠き内に案内される隆起部８がカップリングに位置している。【選択図】図１
2011186467.tif 000002
【特許請求の範囲】
【請求項１】
差込み部材とカップリングとから成る継手及び交換システムにおいて、差込み部材が角錐形であり、差込み部材が細長い間隙を有しており、差込み部材が前方端部に係止及び係止解除用の切欠きを有しており、該切欠き内に案内される隆起部がカップリングに位置していることを特徴とする、継手及び交換システム。
【請求項２】
前記差込み部材に、ばね弾性的な２つの舌片が設けられている、請求項１記載の継手及び交換システム。
【請求項３】
カップリングに差込み部材を差し込む場合の舌片の角度が、差込み部材始端部において、引出し時の切欠きにおける角度よりも急峻ではない、請求項１記載の継手及び交換システム。
【請求項４】
隆起部における角度が、差込み時は舌片を押し合わせるために、舌片の引出し時よりも急峻である、請求項２記載の継手及び交換システム。
【請求項５】
差込み部材が、形状接続式にカップリングに押し込まれる、請求項１記載の継手及び交換システム。
【請求項６】
カップリングに差し込み部材を完全に差し込んだ状態で、隆起部が、切欠きの側面を斜めに又は横方向に押圧する、請求項１記載の継手及び交換システム。
【請求項７】
差込み部材とカップリングとを包囲し且つガイドするスリーブが設けられている、請求項１記載の継手及び交換システム。
【請求項８】
前記スリーブが、カップリングへの差込み部材の差込み深さを制限する、請求項１又は７記載の継手及び交換システム。
【発明の詳細な説明】
【技術分野】
【０００１】
本発明は、差込み部材とカップリングとから成る、有利には眼鏡つると眼鏡フロント部材との間の継手及び交換システムに関する。眼鏡つる及び眼鏡フロント部材は、任意でしばしば結合され且つ再び分離され得る。
【背景技術】
【０００２】
このようなフレキシブル且つ簡単な分離及び結合をフラットな物体において達成するためには、眼鏡つる及び眼鏡フロント部材の場合は複数のシステムが公知である。
【０００３】
ヨーロッパ特許第１１５６３５８号明細書に記載された眼鏡用の固定装置は、眼鏡レンズと眼鏡つるとを同時に交換可能にするものである。ドイツ連邦共和国特許第４２１９０３８号明細書には、分離可能なつるを備えた眼鏡フレームが記載されている。眼鏡つるの取外しは、つるの姿勢が過剰に伸ばされることにより行われる。別の公知の発明は、米国特許２００５／０２８０７７１Ａ１明細書が該当する。眼鏡フロント部材には、側方に各２つの真っ直ぐに伸びる係止フックが取り付けられている。眼鏡フロント部材は、その係止フックで以て保持装置に押し込まれる。その際、これらのフックが押し合わされる。次いでこれらのフックは規定された位置で、カップリングに突入して係止する。カップリングには湾入部が設けられており、フックを収容する。取外しのためには、フックが押し下げられると、同時に差込み部材がカップリングから引き出される。
【０００４】
これら全ての構成は、眼鏡にとって交換可能なシステムは不可欠である、という基本思想に基づいている。またこの背景には、眼鏡における色及び形状のフレキシブルな変更もある。眼鏡フレーム等の、フラットな構成形式の制限下で２つの部品を結合する場合、公知の構成では多くの欠点が生じる。いくつかの構成では、眼鏡フロント部材からの眼鏡つるの分離は、技術的な補助手段を介してのみ可能である。更に、個別のシステムにおいては著しい器用さが必要とされる。小さなフックを押圧しなければならない。この微細運動能力は、眼鏡支持体にとっては必ずしも発揮可能なものではなく且つ所望されるものではない。使用されるシステムでは、真っ直ぐに伸びるフックが、差込み部材とカップリングとの結合に用いられる。大量生産の場合は製造に起因して、嵌合いの不正確性が生じる。従って、差込み部材とカップリングとの間には、しばしば嵌合い精度が得られずに、遊びが生じる。この不安定さは、結合部材の使用時に不満足な経験をもたらす。
【先行技術文献】
【特許文献】
【０００５】
【特許文献１】ヨーロッパ特許第１１５６３５８号明細書
【特許文献２】ドイツ連邦共和国特許第４２１９０３８号明細書
【特許文献３】米国特許２００５／０２８０７７１Ａ１明細書
【発明の概要】
【発明が解決しようとする課題】
【０００６】
本発明の課題は、交換特性を有する２つの部品、有利には眼鏡つると眼鏡フロント部材との形状接続的な結合を達成することである。種々様々なつるが、顧客の要望に応じて簡単に交換され得ることが望ましい。
【課題を解決するための手段】
【０００７】
この課題は、極めてフラットな結合部材において、同時にねじれ安定性についても達成されねばならない。
【０００８】
この課題を解決するために本発明では、差込み部材が角錐形であり、差込み部材が細長い間隙を有しており、差込み部材が前方端部に係止及び係止解除用の切欠きを有しており、該切欠き内に案内される隆起部がカップリングに位置しているようにした。
【発明の効果】
【０００９】
本発明により、前記不安定性は解消され、これにより、簡単な操作性も保証される。間隙と、この間隙に嵌合するカップリングとを備えた角錐形の差込み部材に基づき、眼鏡つるの差込み及び眼鏡つるの強力な引出しによる継手が得られる。
【００１０】
継手及び交換システムのための材料としては、Nym技術で加工された金属が、有利には使用される。継手の細さに基づき、スリーブが眼鏡つる及び眼鏡フロント部材を挿入箇所において取り囲むことが必要となり、これにより、差し込み部材及びカップリングのガイドが保証されている。
【００１１】
フラットな構成形式が可能である。本発明は、被せ式の角錐の形状接続的な結合により、最良の嵌合い精度が得られるという考えに基づいている。これにより、製造に起因する不正確性が排除される。それというのも、差込み部材は形状接続するまでカップリングに押し込まれるからである。製作誤差は、隆起部と切欠きとの協働により補償される。それというのも、差込み部材における恒常的な力はカップリングの方向に向いている、即ち、
恒常的な力が差込み部材をカップリングの方向に引っ張っているからである。この張力は、スリーブ端部によって制限される。
【００１２】
極めて簡単で且つ大量生産に適した交換システムは、間隙を備えたフラットな差込み部材と、対向位置するフラットなカップリングとが結合されることによって達成され得る。結合部は差し込まれた状態で、引張力に抗してのみ作用するので、結合システムに作用する横方向力は、スリーブによって吸収される。
【００１３】
このスリーブは、カップリングと差込み部材とを、差込み部材における角錐突合わせ部が、つるのスリーブ端部に形状接続的に挿入されることによって一緒にガイドする。隆起部が、閉鎖状態で切欠きの中心点に対してややずらされて位置することにより、舌片のばね力に基づいて隆起部の手前の側面が、切欠きに対して斜めに押圧される。この永続的な引っ張りは、差込み部材とカップリングとの間に恒常的な形状接続式の結合を生ぜしめる。
【００１４】
差込み部材の差込みを、引出しよりも簡単にするためには、差込みヘッドにおいて間隙を閉じるための角度が、引出し時の切欠きにおいて間隙を閉じるための角度よりも小さくなっている、即ち、角錐突合わせ部の側面が差込み方向で成す角度が、角錐突合わせ部の他方の側面が差込み方向で成す角度よりも小さくなっている。
【図面の簡単な説明】
【００１５】
【図１】眼鏡つる２と眼鏡フロント部材１とを挿入状態で示した平面図である。
【図２】間隙６を備えた角錐形の差込み部材３の平面図及び差込みヘッドの詳細図である。
【図３】角錐形のカップリング４の平面図及び該カップリング４に設けられた隆起部８の詳細図である。
【発明を実施するための形態】
【００１６】
以下に、本発明を実施するための形態を図面につき詳しく説明する。
【００１７】
図１について：
つる２のスリーブ１４は、差し込まれた状態で眼鏡フロント部材１と形状接続（嵌合）している。同様に、差込み部材３もスリーブ１２により形状接続的に包囲されている。隆起部８は切欠き７に突入して係止されている。
【００１８】
図２について：
差込み部材３は、２つの舌片９によって二分されている。間隙６は開かれている。両舌片９を差込み時に押圧するなだらかな角度１０は、カップリング４から差込み部材３を引き出す際の切欠き７における角度１１よりもなだらかである。隆起部のための押圧ポイント１３が図示されている。
【００１９】
図３について：
カップリング4において隆起部8は自由空間に突出している。舌片を押圧するためには、隆起部８になだらかな角度１６が付けられている。
【符号の説明】
【００２０】
１  眼鏡フロント部材、  ２  眼鏡つる、  ３  差込み部材、  ４  カップリング、  ６  間隙、  ７  切欠き、  ８  隆起部、  ９  舌片、  １０  差込み時の舌片における角度、  １１  引出し時の切欠きにおける角度、  １２  差込み部材とカップリングとの形状接続部、  １３  隆起部の押圧ポイント、  １４  スリーブ、  １６  隆起部の角度
【図１】
2011186467.tif 000003
【図２】
2011186467.tif 000004
【図３】
2011186467.tif 000005